(57)【要約】【課題】運送業者の作業負担の低減化を図ること。【解決手段】卸業者Ａが、運送業者Ｘに、システムＳへのログインに利用される情報αを割り当て、卸業者Ｂが、運送業者Ｘに、システムＳへのログインに利用される情報βを割り当てる。情報処理装置１００は、システムＳへのログインに利用される２以上の情報を対応付けることが運送業者Ｘに許可されたことを示す卸業者ｉに対応するキーｋを、運送業者Ｘから受け付ける。情報処理装置１００は、キーｋを受け付け、かつ、卸業者Ａおよび卸業者Ｂの指定を受け付けた場合、指定された卸業者Ａに対応する情報αと、指定された卸業者Ｂに対応する情報βとを対応付ける。情報処理装置１００は、運送業者Ｘが情報αを利用してログインした場合には、情報αおよび情報βの対応関係に基づいて、卸業者Ａおよび卸業者Ｂを選択可能な画面を表示する。【選択図】図１
2020038445.tif 000002
【特許請求の範囲】
【請求項１】
複数の卸業者のいずれかの卸業者に対応する所定のキーを運送業者から受け付け、
前記所定のキーを受け付けた場合、前記運送業者から指定された第１の情報および第２の情報であって、前記複数の卸業者のうちの第１の卸業者および第２の卸業者が、それぞれ、前記運送業者に割り当てた、前記複数の卸業者のそれぞれの卸業者と前記運送業者との間での業務情報を管理するシステムへのログインに利用される前記第１の情報および前記第２の情報を対応付け、
対応付けられた前記第１の情報および前記第２の情報のいずれかの情報を利用して前記運送業者が前記システムにログインした場合、前記第１の卸業者および前記第２の卸業者を選択可能な画面を表示する、
処理をコンピュータに実行させることを特徴とする管理プログラム。
【請求項２】
前記受け付ける処理は、前記複数の卸業者のそれぞれの卸業者に対応する所定のキーを記憶する記憶部を参照して、前記運送業者から取得したキーが、前記所定のキーであると判定した場合に、前記所定のキーを受け付ける、ことを特徴とする請求項１に記載の管理プログラム。
【請求項３】
前記運送業者の要求に応じて、前記第１の情報および前記第２の情報の対応付けを解除する、処理を前記コンピュータに実行させることを特徴とする請求項１または２に記載の管理プログラム。
【請求項４】
前記画面において前記第１の卸業者および前記第２の卸業者のいずれかの卸業者の選択を受け付けると、前記いずれかの卸業者と前記運送業者との間での業務情報を表示する、処理を前記コンピュータに実行させることを特徴とする請求項１〜３のいずれか一つに記載の管理プログラム。
【請求項５】
前記対応付ける処理は、前記第１の情報および前記第２の情報のそれぞれの情報に、受け付けた前記所定のキーを対応付ける、ことを特徴とする請求項１〜４のいずれか一つに記載の管理プログラム。
【請求項６】
複数の卸業者のいずれかの卸業者に対応する所定のキーを運送業者から受け付け、
前記所定のキーを受け付けた場合、前記運送業者から指定された第１の情報および第２の情報であって、前記複数の卸業者のうちの第１の卸業者および第２の卸業者が、それぞれ、前記運送業者に割り当てた、前記複数の卸業者のそれぞれの卸業者と前記運送業者との間での業務情報を管理するシステムへのログインに利用される前記第１の情報および前記第２の情報を対応付け、
対応付けられた前記第１の情報および前記第２の情報のいずれかの情報を利用して前記運送業者が前記システムにログインした場合、前記第１の卸業者および前記第２の卸業者を選択可能な画面を表示する、
処理をコンピュータが実行することを特徴とする管理方法。
【請求項７】
情報処理装置と、運送業者に対応する運送業者側装置とを含む業務管理システムであって、
前記情報処理装置が、
複数の卸業者のいずれかの卸業者に対応する所定のキーを前記運送業者側装置から受け付け、
前記所定のキーを受け付けた場合、前記運送業者側装置を介して前記運送業者から指定された第１の情報および第２の情報であって、前記複数の卸業者のうちの第１の卸業者および第２の卸業者が、それぞれ、前記運送業者に割り当てた、前記複数の卸業者のそれぞれの卸業者と前記運送業者との間での業務情報を管理するシステムへのログインに利用される前記第１の情報および前記第２の情報を対応付け、
対応付けられた前記第１の情報および前記第２の情報のいずれかの情報を利用して、前記運送業者側装置を介して前記運送業者が前記システムにログインした場合、前記第１の卸業者および前記第２の卸業者を選択可能な画面を、前記運送業者側装置に表示させる、
ことを特徴とする業務管理システム。
【発明の詳細な説明】
【技術分野】
【０００１】
本発明は、管理プログラム、管理方法、および業務管理システムに関する。
【背景技術】
【０００２】
従来、運送業者は、卸業者と契約し、卸業者が有する倉庫から商品を運送する業務などを実施する。ここで、運送業者が複数の卸業者と契約していれば、運送業者がそれぞれの卸業者との間での業務情報を容易に参照可能にすることが望まれる場合がある。
【０００３】
先行技術としては、例えば、印刷機器で、スプールしている印刷データについての依頼者ユーザＩＤと、受け取ったユーザＩＤセット内の複数のユーザＩＤとを照合するものがある。また、例えば、請求明細ごとに与えられた請求明細データに、請求明細の支払期限ごとに同一の振込識別番号を付与する技術がある。
【先行技術文献】
【特許文献】
【０００４】
【特許文献１】特開２０１２−８９０５８号公報
【特許文献２】特開２００２−２１６０３９号公報
【発明の概要】
【発明が解決しようとする課題】
【０００５】
しかしながら、従来技術では、運送業者とそれぞれの卸業者との間での業務情報を、運送業者が参照する際にかかる作業負担の増大化を招いてしまう。例えば、卸業者ごとに業務情報を管理するシステムが存在し、卸業者ごとに運送業者に対してシステムへのログインに利用されるＩＤを割り当てる場合が考えられる。この場合、運送業者は、ＩＤを使い分けて、システムに何度もログインし直すことになり、作業負担の増大化を招く。
【０００６】
１つの側面では、本発明は、運送業者の作業負担の低減化を図ることを目的とする。
【課題を解決するための手段】
【０００７】
１つの実施態様によれば、複数の卸業者のいずれかの卸業者に対応する所定のキーを運送業者から受け付け、前記所定のキーを受け付けた場合、前記運送業者から指定された第１の情報および第２の情報であって、前記複数の卸業者のうちの第１の卸業者および第２の卸業者が、それぞれ、前記運送業者に割り当てた、前記複数の卸業者のそれぞれの卸業者と前記運送業者との間での業務情報を管理するシステムへのログインに利用される前記第１の情報および前記第２の情報を対応付け、対応付けられた前記第１の情報および前記第２の情報のいずれかの情報を利用して前記運送業者が前記システムにログインした場合、前記第１の卸業者および前記第２の卸業者を選択可能な画面を表示する管理プログラムが提案される。
【発明の効果】
【０００８】
一態様によれば、運送業者の作業負担の低減化を図ることが可能になる。
【図面の簡単な説明】
【０００９】
【図１】図１は、実施の形態にかかる管理方法の一実施例を示す説明図である。
【図２】図２は、業務管理システム２００の一例を示す説明図である。
【図３】図３は、情報処理装置１００のハードウェア構成例を示すブロック図である。
【図４】図４は、会社マスタテーブル４００の記憶内容の一例を示す説明図である。
【図５】図５は、ユーザマスタテーブル５００の記憶内容の一例を示す説明図である。
【図６】図６は、卸業者側装置２０１のハードウェア構成例を示すブロック図である。
【図７】図７は、運送業者側装置２０２のハードウェア構成例を示すブロック図である。
【図８】図８は、情報処理装置１００の機能的構成例を示すブロック図である。
【図９】図９は、卸業者情報が登録される一例を示す説明図（その１）である。
【図１０】図１０は、卸業者情報が登録される一例を示す説明図（その２）である。
【図１１】図１１は、運送業者情報が登録される一例を示す説明図（その１）である。
【図１２】図１２は、運送業者情報が登録される一例を示す説明図（その２）である。
【図１３】図１３は、運送業者ＩＤが対応付けられる一例を示す説明図（その１）である。
【図１４】図１４は、運送業者ＩＤが対応付けられる一例を示す説明図（その２）である。
【図１５】図１５は、運送業者ＩＤの対応付けが解除される一例を示す説明図（その１）である。
【図１６】図１６は、運送業者ＩＤの対応付けが解除される一例を示す説明図（その２）である。
【図１７】図１７は、運送業者が情報管理システムにログインする一例を示す説明図である。
【図１８】図１８は、卸業者登録処理手順の一例を示すフローチャートである。
【図１９】図１９は、運送業者登録処理手順の一例を示すフローチャートである。
【図２０】図２０は、ログイン処理手順の一例を示すフローチャートである。
【図２１】図２１は、対応登録処理手順の一例を示すフローチャートである。
【図２２】図２２は、対応解除処理手順の一例を示すフローチャートである。
【発明を実施するための形態】
【００１０】
以下に、図面を参照して、本発明にかかる管理プログラム、管理方法、および業務管理システムの実施の形態を詳細に説明する。
【００１１】
（実施の形態にかかる管理方法の一実施例）
図１は、実施の形態にかかる管理方法の一実施例を示す説明図である。情報処理装置１００は、複数の卸業者のそれぞれの卸業者と運送業者との間での業務情報を管理する所定のシステムを制御するコンピュータである。
【００１２】
卸業者は、小売業者に商品を販売する業者である。運送業者は、卸業者から小売業者まで商品を運送する業者である。運送業者は、例えば、卸業者が有する倉庫から、小売業者が有する店舗まで、商品を運送する。業務情報は、卸業者と運送業者との間での業務内容に関する情報である。業務情報は、例えば、運送業者が、卸業者が有する倉庫をいつ訪れるかを予約したことを示す予約情報などを含む。業務情報は、例えば、卸業者が有する倉庫の場所を示す所在情報などを含んでもよい。
【００１３】
ここで、運送業者が所定のシステムにログイン可能にする方法の一つとして、例えば、所定のシステムの管理者が、所定のシステムへのログインに利用するＩＤを、運送業者に一意に割り当てることが考えられる。かかる方法では、運送業者が多くなるほど、管理者の作業負担の増大化を招いてしまうため、管理者の人数が少ないと、所定のシステムを実現することが難しくなる場合がある。
【００１４】
これに対し、運送業者が所定のシステムにログイン可能にする方法の一つとして、例えば、複数の卸業者のそれぞれの卸業者が、個別に、所定のシステムへのログインに利用するＩＤを、運送業者に割り当てることが考えられる。しかしながら、かかる方法では、運送業者が、運送業者と複数の卸業者のそれぞれの卸業者との間での業務情報を参照しようとする際に、運送業者にかかる作業負担の増大化を招いてしまう。例えば、運送業者は、ＩＤを使い分けて、所定のシステムに何度もログインし直すことになる。
【００１５】
そこで、本実施の形態では、卸業者ごとに所定のシステムへのログインに利用する情報を運送業者に割り当てる状況でも、運送業者が、ログインに利用する情報を使い分けずに済み、運送業者の作業負担の低減化を図ることができる管理方法について説明する。
【００１６】
図１の例では、卸業者が、運送業者Ｘに、システムＳへのログインに利用される情報を割り当てる。システムＳは、例えば、情報処理装置１００によって実現される。例えば、符号１１０に示すように、卸業者Ａが、運送業者Ｘに、システムＳへのログインに利用される情報αを割り当て、卸業者Ｂが、運送業者Ｘに、システムＳへのログインに利用される情報βを割り当てている。卸業者Ａおよび卸業者Ｂは、それぞれ、具体的には、運送業者ＸをシステムＳに登録することにより、システムＳに、運送業者Ｘに対してシステムＳへのログインに利用される情報を割り当てさせる。
【００１７】
システムＳは、複数の卸業者のそれぞれの卸業者と運送業者Ｘとの間での業務情報を管理する。例えば、符号１１０に示すように、システムＳは、卸業者Ａに対応する業務情報１１１、および、卸業者Ｂに対応する業務情報１１２を記憶する。システムＳは、具体的には、運送業者Ｘが情報αを利用してログインした場合には、卸業者Ａに対応する業務情報１１１に対するアクセスを許可する。システムＳは、具体的には、運送業者Ｘが情報βを利用してログインした場合には、卸業者Ｂに対応する業務情報１１２に対するアクセスを許可する。
【００１８】
（１−１）情報処理装置１００は、複数の卸業者のいずれかの卸業者に対応する所定のキーを運送業者Ｘから受け付ける。所定のキーは、システムＳへのログインに利用される２以上の情報を対応付けることが、運送業者Ｘに許可されたことを示すためのキーである。例えば、符号１２０に示すように、情報処理装置１００は、卸業者ｉに対応するキーｋを、運送業者Ｘから受け付ける。卸業者ｉは、例えば、卸業者Ａおよび卸業者Ｂのいずれかの卸業者である。卸業者ｉは、例えば、卸業者Ａおよび卸業者Ｂとは異なる卸業者であってもよい。情報処理装置１００は、具体的には、卸業者ｉに対応するキーｋを、運送業者Ｘが有する装置から受信する。
【００１９】
（１−２）情報処理装置１００は、所定のキーを受け付けた場合、複数の卸業者のうちの第１の卸業者および第２の卸業者が、それぞれ、運送業者Ｘに割り当てた、システムＳへのログインに利用される第１の情報および第２の情報を対応付ける。第１の情報および第２の情報は、例えば、運送業者Ｘによって指定される。例えば、符号１２０に示すように、情報処理装置１００は、キーｋを受け付け、かつ、卸業者Ａに対応する情報αと、卸業者Ｂに対応する情報βとの指定を受け付けた場合、卸業者Ａに対応する情報αと、卸業者Ｂに対応する情報βとを対応付ける。
【００２０】
情報αおよび情報βは、具体的には、運送業者Ｘが有する装置を介して、運送業者Ｘに属する従業者によって指定される。情報αおよび情報βの対応付けは、具体的には、情報αおよび情報βのそれぞれに同じキーを対応付けることにより実現される。情報αおよび情報βに対応付けるキーは、例えば、キーｋである。また、情報αおよび情報βに対応付けるキーは、例えば、キーｋに限らず、情報処理装置１００が自動で生成したキーであってもよい。
【００２１】
（１−３）情報処理装置１００は、対応付けられた第１の情報および第２の情報のいずれかの情報を利用して運送業者ＸがシステムＳにログインした場合、第１の卸業者および第２の卸業者を選択可能な画面を表示する。運送業者Ｘのログインは、具体的には、運送業者Ｘに属する従業者のログインである。画面の表示先は、例えば、運送業者Ｘが有する装置である。例えば、符号１３０に示すように、情報処理装置１００は、運送業者Ｘが情報αを利用してログインした場合には、情報αおよび情報βの対応関係に基づいて、卸業者Ａおよび卸業者Ｂを選択可能な画面を表示する。情報処理装置１００は、具体的には、卸業者Ａおよび卸業者Ｂを選択可能な画面を、運送業者Ｘが有する装置に表示させる。
【００２２】
これにより、情報処理装置１００は、運送業者Ｘの作業負担の低減化を図ることができる。運送業者Ｘの作業負担は、具体的には、運送業者Ｘに属する従業者の作業負担である。情報処理装置１００は、例えば、運送業者Ｘに属する従業者が、情報αおよび情報βを使い分けなくても、卸業者Ａおよび卸業者Ｂを選択可能にすることができる。そして、情報処理装置１００は、選択結果に応じて、システムＳが、卸業者Ａに対応する業務情報１１１、および、卸業者Ｂに対応する業務情報１１２を、選択的に表示可能にすることができる。
【００２３】
結果として、情報処理装置１００は、運送業者Ｘに属する従業者が、情報αおよび情報βを使い分けなくても、卸業者Ａに対応する業務情報１１１、および、卸業者Ｂに対応する業務情報１１２を、選択的に参照可能にすることができる。このため、情報処理装置１００は、運送業者Ｘに属する従業者にかかる作業負担の低減化を図ることができる。
【００２４】
情報処理装置１００は、具体的には、運送業者Ｘに属する従業者が、システムＳにログインした際、複数の卸業者のそれぞれの卸業者が有する倉庫をいつ訪れるかを、容易に確認可能または予約可能にすることができる。また、情報処理装置１００は、具体的には、運送業者Ｘに属する従業者が、システムＳにログインした際、複数の卸業者のそれぞれの卸業者が有する倉庫の場所を、容易に確認可能にすることができる。
【００２５】
また、情報処理装置１００は、運送業者Ｘが指定した２以上の情報を対応付け、運送業者Ｘが指定していない情報については対応付けないことができる。このため、情報処理装置１００は、システムＳへのログインに利用される複数の情報の中での、情報間の対応付け状態を、運送業者Ｘが要望する状態にすることができる。情報処理装置１００は、例えば、運送業者Ｘが、同じ施設内に倉庫がある２以上の卸業者についてはログイン用の情報を纏めたいが、別の施設に倉庫がある他の卸業者についてはログイン用の情報を纏めなくてよいと要望する場合に柔軟に対応することができる。
【００２６】
ここでは、情報処理装置１００が、複数の卸業者のいずれかの卸業者に対応する正当なキーを運送業者Ｘから受け付ける場合について説明したが、これに限らない。例えば、情報処理装置１００が、運送業者Ｘからキーを取得し、複数の卸業者のいずれかの卸業者に対応する正当なキーであるかを確認し、正当なキーでなければ破棄する場合があってもよい。
【００２７】
ここでは、情報処理装置１００が、システムＳを実現する場合について説明したが、これに限らない。例えば、情報処理装置１００が、システムＳを実現する装置と通信可能であり、システムＳを実現する装置を制御する場合があってもよい。
【００２８】
（業務管理システム２００の一例）
次に、図２を用いて、図１に示した情報処理装置１００を適用した、業務管理システム２００の一例について説明する。
【００２９】
図２は、業務管理システム２００の一例を示す説明図である。図２において、業務管理システム２００は、情報処理装置１００と、複数の卸業者のそれぞれの卸業者が有する卸業者側装置２０１と、複数の運送業者のそれぞれの運送業者が有する運送業者側装置２０２とを含む。
【００３０】
業務管理システム２００において、情報処理装置１００と卸業者側装置２０１とは、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。また、業務管理システム２００において、情報処理装置１００と運送業者側装置２０２とは、有線または無線のネットワーク２１０を介して接続される。
【００３１】
情報処理装置１００は、図４および図５に後述する各種テーブルを利用し、情報管理システムを制御するコンピュータである。情報管理システムは、複数の卸業者のそれぞれの卸業者と運送業者との間での業務情報を、卸業者ごとに管理する。情報管理システムは、例えば、図１に示したシステムＳである。
【００３２】
情報処理装置１００は、例えば、卸業者側装置２０１と通信し、図４および図５に後述する各種テーブルに、卸業者情報を登録する。卸業者情報は、例えば、卸業者を識別する卸業者ＩＤ、および、運送業者を識別する運送業者ＩＤを対応付ける名寄せ処理を運送業者に許可するための、卸業者に対応する名寄せＩＤなどを含む。卸業者情報を登録する一例は、具体的には、図９および図１０を用いて後述する。
【００３３】
情報処理装置１００は、例えば、卸業者側装置２０１と通信し、図４および図５に後述する各種テーブルに、運送業者情報を登録する。運送業者情報は、例えば、運送業者を識別する運送業者ＩＤ、および、運送業者を登録する主体である卸業者を識別する卸業者ＩＤなどを含む。運送業者情報を登録する一例は、具体的には、図１１および図１２を用いて後述する。
【００３４】
情報処理装置１００は、例えば、運送業者側装置２０２と通信し、図４および図５に後述する各種テーブルを参照し、運送業者ＩＤを対応付ける名寄せ処理を実行する。運送業者ＩＤを対応付ける一例は、具体的には、図１３および図１４を用いて後述する。情報処理装置１００は、例えば、運送業者側装置２０２と通信し、図４および図５に後述する各種テーブルを参照し、運送業者ＩＤの対応付けを解除する。運送業者ＩＤの対応付けを解除する一例は、具体的には、図１５および図１６を用いて後述する。
【００３５】
情報処理装置１００は、運送業者側装置２０２と通信し、図４および図５に後述する各種テーブルを参照し、運送業者が情報管理システムにログインするためのログイン画面を、運送業者側装置２０２に表示させ、運送業者が業務処理システムにログイン可能にする。運送業者が情報管理システムにログインする一例は、具体的には、図１７を用いて後述する。情報処理装置１００は、運送業者側装置２０２と通信し、運送業者が情報管理システムにログインした後、卸業者との間での業務情報を参照するための業務情報画面などを、運送業者側装置２０２に表示させてもよい。情報処理装置１００は、例えば、サーバやＰＣ（Ｐｅｒｓｏｎａｌ  Ｃｏｍｐｕｔｅｒ）などである。
【００３６】
卸業者側装置２０１は、卸業者が有し、卸業者に属する従業者に用いられるコンピュータである。卸業者に属する従業者は、卸業者から卸業者側装置２０１の取り扱いを委託された、卸業者とは異なる組織の人間であってもよい。卸業者側装置２０１は、情報処理装置１００と通信し、卸業者情報または運送業者情報を、情報処理装置１００に登録させる。卸業者側装置２０１は、例えば、ＰＣ、タブレット端末、および、スマートフォンなどである。
【００３７】
運送業者側装置２０２は、運送業者が有し、運送業者に属する従業者に用いられるコンピュータである。運送業者に属する従業者は、運送業者から運送業者側装置２０２の取り扱いを委託された、運送業者とは異なる組織の人間であってもよい。運送業者側装置２０２は、情報処理装置１００と通信し、情報管理システムにログインし、卸業者との間での業務情報を参照可能にする。運送業者側装置２０２は、例えば、ＰＣ、タブレット端末、および、スマートフォンなどである。
【００３８】
ここでは、情報処理装置１００が、図４および図５に後述する各種テーブルを記憶する場合について説明したが、これに限らない。例えば、情報処理装置１００が、図４および図５に後述する各種テーブルを記憶する装置と通信可能な場合があってもよい。ここでは、情報処理装置１００が、１つの装置である場合について説明したが、これに限らない。例えば、情報処理装置１００が複数存在し、協働する場合があってもよい。
【００３９】
（情報処理装置１００のハードウェア構成例）
次に、図３を用いて、図２に示した業務管理システム２００に含まれる情報処理装置１００のハードウェア構成例について説明する。
【００４０】
図３は、情報処理装置１００のハードウェア構成例を示すブロック図である。図３において、情報処理装置１００は、ＣＰＵ（Ｃｅｎｔｒａｌ  Ｐｒｏｃｅｓｓｉｎｇ  Ｕｎｉｔ）３０１と、メモリ３０２と、ネットワークＩ／Ｆ（Ｉｎｔｅｒｆａｃｅ）３０３と、記録媒体Ｉ／Ｆ３０４と、記録媒体３０５とを有する。また、各構成部は、バス３００によってそれぞれ接続される。
【００４１】
ここで、ＣＰＵ３０１は、情報処理装置１００の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００４２】
ネットワークＩ／Ｆ３０３は、通信回線を通じてネットワーク２１０に接続され、ネットワーク２１０を介して他のコンピュータに接続される。そして、ネットワークＩ／Ｆ３０３は、ネットワーク２１０と内部のインターフェースを司り、他のコンピュータからのデータの入出力を制御する。ネットワークＩ／Ｆ３０３は、例えば、モデムやＬＡＮアダプタなどである。
【００４３】
記録媒体Ｉ／Ｆ３０４は、ＣＰＵ３０１の制御に従って記録媒体３０５に対するデータのリード／ライトを制御する。記録媒体Ｉ／Ｆ３０４は、例えば、ディスクドライブ、ＳＳＤ（Ｓｏｌｉｄ  Ｓｔａｔｅ  Ｄｒｉｖｅ）、ＵＳＢ（Ｕｎｉｖｅｒｓａｌ  Ｓｅｒｉａｌ  Ｂｕｓ）ポートなどである。記録媒体３０５は、記録媒体Ｉ／Ｆ３０４の制御で書き込まれたデータを記憶する不揮発メモリである。記録媒体３０５は、例えば、ディスク、半導体メモリ、ＵＳＢメモリなどである。記録媒体３０５は、情報処理装置１００から着脱可能であってもよい。
【００４４】
情報処理装置１００は、上述した構成部のほか、例えば、キーボード、マウス、ディスプレイ、プリンタ、スキャナ、マイク、スピーカーなどを有してもよい。また、情報処理装置１００は、記録媒体Ｉ／Ｆ３０４や記録媒体３０５を複数有していてもよい。また、情報処理装置１００は、記録媒体Ｉ／Ｆ３０４や記録媒体３０５を有していなくてもよい。
【００４５】
（会社マスタテーブル４００の記憶内容）
次に、図４を用いて、会社マスタテーブル４００の記憶内容の一例について説明する。会社マスタテーブル４００は、例えば、図３に示した情報処理装置１００のメモリ３０２や記録媒体３０５などの記憶領域により実現される。
【００４６】
図４は、会社マスタテーブル４００の記憶内容の一例を示す説明図である。図４に示すように、会社マスタテーブル４００は、会社ＩＤと、会社名と、登録元と、利用フラグと、名寄せＩＤとのフィールドを有する。会社マスタテーブル４００は、卸業者または運送業者の単位で、各フィールドに情報を設定することにより、卸業者情報または運送業者情報がレコードとして記憶される。
【００４７】
会社ＩＤのフィールドには、卸業者を識別する卸業者ＩＤ、または、運送業者を識別する運送業者ＩＤが、会社ＩＤとして設定される。運送業者ＩＤは、１つの運送業者に対して複数割り当てられていてもよい。会社名のフィールドには、卸業者の名称、または、運送業者の名称が設定される。登録元のフィールドには、レコードが運送業者情報を示す場合、レコードを登録した卸業者を識別する卸業者ＩＤが設定される。
【００４８】
利用フラグのフィールドには、レコードが運送業者情報を示す場合、運送業者ＩＤの対応付けが有効であるか否かを示す利用フラグが設定される。名寄せＩＤのフィールドには、レコードが卸業者情報を示す場合、卸業者に対応する名寄せＩＤが設定される。名寄せＩＤのフィールドには、レコードが運送業者情報を示す場合、運送業者ＩＤを対応付けたことを示すために名寄せＩＤが設定される。
【００４９】
（ユーザマスタテーブル５００の記憶内容）
次に、図５を用いて、ユーザマスタテーブル５００の記憶内容の一例について説明する。ユーザマスタテーブル５００は、例えば、図３に示した情報処理装置１００のメモリ３０２や記録媒体３０５などの記憶領域により実現される。
【００５０】
図５は、ユーザマスタテーブル５００の記憶内容の一例を示す説明図である。図５に示すように、ユーザマスタテーブル５００は、会社ＩＤと、ユーザＩＤと、ユーザ名とのフィールドを有する。ユーザマスタテーブル５００は、卸業者または運送業者に属する従業者の単位で、各フィールドに情報を設定することにより、ユーザ情報がレコードとして記憶される。
【００５１】
会社ＩＤのフィールドには、卸業者を識別する卸業者ＩＤ、または、運送業者を識別する運送業者ＩＤが、会社ＩＤとして設定される。運送業者ＩＤは、１つの運送業者に対して複数割り当てられていてもよい。ユーザＩＤのフィールドには、卸業者に属する従業者を識別するユーザＩＤ、または、運送業者に属する従業者を識別するユーザＩＤが設定される。ユーザ名のフィールドには、卸業者に属する従業者の氏名、または、運送業者に属する従業者の氏名が設定される。
【００５２】
（卸業者側装置２０１のハードウェア構成例）
次に、図６を用いて、図２に示した業務管理システム２００に含まれる卸業者側装置２０１のハードウェア構成例について説明する。
【００５３】
図６は、卸業者側装置２０１のハードウェア構成例を示すブロック図である。図６において、卸業者側装置２０１は、ＣＰＵ６０１と、メモリ６０２と、ネットワークＩ／Ｆ６０３と、記録媒体Ｉ／Ｆ６０４と、記録媒体６０５と、ディスプレイ６０６と、入力装置６０７とを有する。また、各構成部は、バス６００によってそれぞれ接続される。
【００５４】
ここで、ＣＰＵ６０１は、卸業者側装置２０１の全体の制御を司る。メモリ６０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ６０１のワークエリアとして使用される。メモリ６０２に記憶されるプログラムは、ＣＰＵ６０１にロードされることで、コーディングされている処理をＣＰＵ６０１に実行させる。
【００５５】
ネットワークＩ／Ｆ６０３は、通信回線を通じてネットワーク２１０に接続され、ネットワーク２１０を介して他のコンピュータに接続される。そして、ネットワークＩ／Ｆ６０３は、ネットワーク２１０と内部のインターフェースを司り、他のコンピュータからのデータの入出力を制御する。ネットワークＩ／Ｆ６０３は、例えば、モデムやＬＡＮアダプタなどである。
【００５６】
記録媒体Ｉ／Ｆ６０４は、ＣＰＵ６０１の制御に従って記録媒体６０５に対するデータのリード／ライトを制御する。記録媒体Ｉ／Ｆ６０４は、例えば、ディスクドライブ、ＳＳＤ、ＵＳＢポートなどである。記録媒体６０５は、記録媒体Ｉ／Ｆ６０４の制御で書き込まれたデータを記憶する不揮発メモリである。記録媒体６０５は、例えば、ディスク、半導体メモリ、ＵＳＢメモリなどである。記録媒体６０５は、卸業者側装置２０１から着脱可能であってもよい。
【００５７】
ディスプレイ６０６は、カーソル、アイコンあるいはツールボックスをはじめ、文書、画像、機能情報などのデータを表示する。ディスプレイ６０６は、例えば、ＣＲＴ（Ｃａｔｈｏｄｅ  Ｒａｙ  Ｔｕｂｅ）、液晶ディスプレイ、有機ＥＬ（Ｅｌｅｃｔｒｏｌｕｍｉｎｅｓｃｅｎｃｅ）ディスプレイなどである。入力装置６０７は、文字、数字、各種指示などの入力のためのキーを有し、データの入力を行う。入力装置６０７は、キーボードやマウスなどであってもよく、また、タッチパネル式の入力パッドやテンキーなどであってもよい。
【００５８】
卸業者側装置２０１は、上述した構成部のほか、例えば、プリンタ、スキャナ、マイク、スピーカーなどを有してもよい。また、卸業者側装置２０１は、記録媒体Ｉ／Ｆ６０４や記録媒体６０５を複数有していてもよい。また、卸業者側装置２０１は、記録媒体Ｉ／Ｆ６０４や記録媒体６０５を有していなくてもよい。
【００５９】
（運送業者側装置２０２のハードウェア構成例）
次に、図７を用いて、図２に示した業務管理システム２００に含まれる運送業者側装置２０２のハードウェア構成例について説明する。
【００６０】
図７は、運送業者側装置２０２のハードウェア構成例を示すブロック図である。図７において、運送業者側装置２０２は、ＣＰＵ７０１と、メモリ７０２と、ネットワークＩ／Ｆ７０３と、記録媒体Ｉ／Ｆ７０４と、記録媒体７０５と、ディスプレイ７０６と、入力装置７０７とを有する。また、各構成部は、バス７００によってそれぞれ接続される。
【００６１】
運送業者側装置２０２が有する各構成部は、具体的には、図６に示した卸業者側装置２０１が有する各構成部と同様であるため、説明を省略する。運送業者側装置２０２は、上述した構成部のほか、例えば、プリンタ、スキャナ、マイク、スピーカーなどを有してもよい。また、運送業者側装置２０２は、記録媒体Ｉ／Ｆ７０４や記録媒体７０５を複数有していてもよい。また、運送業者側装置２０２は、記録媒体Ｉ／Ｆ７０４や記録媒体７０５を有していなくてもよい。
【００６２】
（情報処理装置１００の機能的構成例）
次に、図８を用いて、情報処理装置１００の機能的構成例について説明する。
【００６３】
図８は、情報処理装置１００の機能的構成例を示すブロック図である。情報処理装置１００は、記憶部８００と、取得部８０１と、管理部８０２と、出力部８０３とを含む。
【００６４】
記憶部８００は、例えば、図３に示したメモリ３０２や記録媒体３０５などの記憶領域によって実現される。以下では、記憶部８００が、情報処理装置１００に含まれる場合について説明するが、これに限らない。例えば、記憶部８００が、情報処理装置１００とは異なる装置に含まれ、記憶部８００の記憶内容が情報処理装置１００から参照可能である場合があってもよい。
【００６５】
取得部８０１〜出力部８０３は、制御部の一例として機能する。取得部８０１〜出力部８０３は、具体的には、例えば、図３に示したメモリ３０２や記録媒体３０５などの記憶領域に記憶されたプログラムをＣＰＵ３０１に実行させることにより、または、ネットワークＩ／Ｆ３０３により、その機能を実現する。各機能部の処理結果は、例えば、図３に示したメモリ３０２や記録媒体３０５などの記憶領域に記憶される。
【００６６】
記憶部８００は、各機能部の処理において参照され、または更新される各種情報を記憶する。記憶部８００は、例えば、複数の卸業者のそれぞれの卸業者と運送業者との間での業務情報を記憶する。業務情報は、卸業者と運送業者との間での業務内容に関する情報である。業務情報は、例えば、運送業者が、卸業者が有する倉庫をいつ訪れるかを予約したことを示す予約情報などを含む。これにより、記憶部８００は、運送業者が業務情報を参照可能に記憶することができる。
【００６７】
記憶部８００は、例えば、卸業者が運送業者に割り当てた、複数の卸業者のそれぞれの卸業者と運送業者との間での業務情報を管理する所定のシステムへのログインに利用される情報を記憶する。所定のシステムは、例えば、上述した情報管理システムである。ログインに利用される情報は、例えば、図４に示した運送業者ＩＤである。いずれかの卸業者が運送業者に割り当てた、ログインに利用される情報は、いずれかの卸業者と運送業者との間での業務情報に対するアクセスを許可する情報である。記憶部８００は、具体的には、図４に示した会社マスタテーブル４００を記憶する。これにより、記憶部８００は、運送業者が情報管理システムにログイン可能にすることができる。
【００６８】
記憶部８００は、例えば、複数の卸業者のそれぞれの卸業者に対応する所定のキーを記憶する。所定のキーは、情報管理システムへのログインに利用される２以上の情報を対応付けることが、運送業者に許可されたことを示すためのキーである。所定のキーは、例えば、図４に示した名寄せＩＤである。記憶部８００は、具体的には、図４に示した会社マスタテーブル４００を記憶する。これにより、記憶部８００は、運送業者から取得したキーが、いずれかの卸業者に対応する所定のキーであるかを確認可能にすることができる。
【００６９】
取得部８０１は、各機能部の処理に用いられる各種情報を取得する。取得部８０１は、取得した各種情報を、記憶部８００に記憶し、または、各機能部に出力する。また、取得部８０１は、記憶部８００に記憶しておいた各種情報を、各機能部に出力してもよい。取得部８０１は、例えば、ユーザの操作入力に基づき、各種情報を取得する。取得部８０１は、例えば、情報処理装置１００とは異なる装置から、各種情報を受信してもよい。
【００７０】
取得部８０１は、例えば、複数の卸業者のいずれかの卸業者から、情報管理システムに卸業者を登録するための情報、または、情報管理システムに運送業者を登録するための情報を受け付ける。取得部８０１は、具体的には、卸業者側装置２０１から、卸業者情報を受信する。また、取得部８０１は、具体的には、卸業者側装置２０１から、運送業者情報を受信する。これにより、取得部８０１は、卸業者または運送業者が情報管理システムを利用可能にするための情報を取得することができる。
【００７１】
取得部８０１は、例えば、情報管理システムへのログインに利用される２以上の情報の指定を運送業者から受け付ける。取得部８０１は、具体的には、第１の卸業者に対応する第１の情報および第２の卸業者に対応する第２の情報の指定を、運送業者側装置２０２から受け付ける。第１の情報は、情報管理システムが記憶する第１の卸業者と運送業者との間での業務情報に対するアクセスを許可する情報である。第２の情報は、情報管理システムが記憶する第２の卸業者と運送業者との間での業務情報に対するアクセスを許可する情報である。取得部８０１は、より具体的には、２以上の運送業者ＩＤの指定を受け付ける。
【００７２】
また、取得部８０１は、例えば、２以上の卸業者の指定を受け付けることにより、情報管理システムへのログインに利用される２以上の情報の指定を、間接的に受け付けてもよい。取得部８０１は、具体的には、第１の卸業者および第２の卸業者の指定を、運送業者側装置２０２から受け付けることにより、間接的に、第１の卸業者に対応する第１の情報および第２の卸業者に対応する第２の情報の指定を受け付ける。これにより、取得部８０１は、いずれの卸業者が運送業者に割り当てた、情報管理システムへのログインに利用される２以上の情報を対応付けるかを特定可能にすることができる。
【００７３】
取得部８０１は、例えば、複数の卸業者のいずれかの卸業者に対応する所定のキーを運送業者から受け付ける。取得部８０１は、具体的には、運送業者から何らかのキーを取得し、記憶部８００を参照して、取得したキーが、いずれかの卸業者に対応する所定のキーであると判定した場合に、所定のキーを受け付ける。一方で、取得部８０１は、取得したキーが、いずれの卸業者に対応する所定のキーでもない場合には、取得したキーを破棄する。
【００７４】
取得部８０１は、より具体的には、運送業者側装置２０２からキーを受信し、会社マスタテーブル４００の名寄せＩＤのフィールドを参照し、受信したキーが、正当な名寄せＩＤであれば、名寄せＩＤとして受け付ける。正当な名寄せＩＤは、例えば、いずれかの卸業者に対応する、会社マスタテーブル４００の名寄せＩＤのフィールドに記憶された名寄せＩＤである。一方で、取得部８０１は、受信したキーが、正当な名寄せＩＤでなければ、受信したキーを破棄する。これにより、取得部８０１は、情報管理システムへのログインに利用される２以上の情報を対応付けることが許可されているか否かを判定可能にすることができる。
【００７５】
また、取得部８０１は、具体的には、運送業者から何らかのキーを取得し、記憶部８００を参照して、取得したキーが、対応付ける対象の２以上の情報のいずれかの情報を運送業者に割り当てた卸業者に対応する所定のキーであるか否かを判定してもよい。そして、取得部８０１は、取得したキーが、対応付ける対象の２以上の情報のいずれかの情報を運送業者に割り当てた卸業者に対応する所定のキーである場合に、所定のキーを受け付ける。一方で、取得部８０１は、取得したキーが、対応付ける対象の２以上の情報のいずれの情報を運送業者に割り当てた卸業者に対応する所定のキーでもない場合には、取得したキーを破棄する。
【００７６】
取得部８０１は、より具体的には、記憶部８００を参照して、取得したキーが、第１の卸業者および第２の卸業者のいずれかの卸業者に対応する所定のキーであると判定した場合に、所定のキーを受け付ける。一方で、取得部８０１は、取得したキーが、第１の卸業者および第２の卸業者のいずれの卸業者に対応する所定のキーでもないと判定した場合には、取得したキーを破棄する。これにより、取得部８０１は、情報管理システムへのログインに利用される２以上の情報を対応付けることが、少なくとも２以上の情報のいずれかの情報を運送業者に割り当てた卸業者から許可されているか否かを判定可能にすることができる。
【００７７】
また、取得部８０１は、具体的には、運送業者から何らかのキーを取得し、記憶部８００を参照して、取得したキーが、特定の卸業者に対応する所定のキーであるか否かを判定してもよい。特定の卸業者は、運送業者に、情報管理システムへのログインに利用される２以上の情報を対応付けることを許可する卸業者である。これにより、取得部８０１は、運送業者に対応付けを許可する卸業者を、特定の卸業者に限定して業務管理システム２００を運用することができる。
【００７８】
取得部８０１は、例えば、情報管理システムへのログインに利用される２以上の情報の対応付けを解除する要求を、運送業者から受け付ける。取得部８０１は、具体的には、運送業者側装置２０２から、運送業者ＩＤの対応付けを解除する要求を受信する。これにより、取得部８０１は、情報管理システムへのログインに利用される２以上の情報の対応付けを解除可能にすることができる。
【００７９】
管理部８０２は、情報管理システムに卸業者を登録するための情報に基づいて、情報管理システムに卸業者を登録する。管理部８０２は、例えば、卸業者情報を会社マスタテーブル４００に記憶する。これにより、管理部８０２は、卸業者が情報管理システムを利用可能にすることができる。
【００８０】
管理部８０２は、情報管理システムに運送業者を登録するための情報に基づいて、情報管理システムに運送業者を登録する。管理部８０２は、例えば、運送業者情報を会社マスタテーブル４００に記憶する。これにより、管理部８０２は、運送業者が情報管理システムを利用可能にすることができる。
【００８１】
管理部８０２は、所定のキーを受け付けた場合、指定された、情報管理システムへのログインに利用される２以上の情報を対応付ける。管理部８０２は、例えば、所定のキーを受け付けた場合、複数の卸業者のうちの第１の卸業者および第２の卸業者が、それぞれ、運送業者に割り当てた、情報管理システムへのログインに利用される第１の情報および第２の情報を対応付ける。
【００８２】
管理部８０２は、具体的には、第１の情報および第２の情報のそれぞれの情報に、受け付けた所定のキーを対応付ける。管理部８０２は、より具体的には、名寄せＩＤを受け付けた場合、会社マスタテーブル４００において、指定された２以上の運送業者ＩＤに、名寄せＩＤを対応付けて記憶する。これにより、管理部８０２は、情報管理システムへのログインに利用される２以上の情報を対応付けて、２以上の情報を使い分けずに済むようにすることができる。
【００８３】
管理部８０２は、運送業者の要求に応じて、２以上の情報の対応付けを解除する。管理部８０２は、例えば、運送業者の要求に応じて、第１の情報および第２の情報の対応付けを解除する。管理部８０２は、具体的には、運送業者ＩＤの対応付けを解除する要求を受信すると、解除対象の２以上の運送業者ＩＤの対応付けを解除する。これにより、管理部８０２は、情報管理システムへのログインに利用される２以上の情報の対応付けを解除することができる。
【００８４】
出力部８０３は、少なくともいずれかの機能部の処理結果を出力する。出力形式は、例えば、ディスプレイへの表示、プリンタへの印刷出力、ネットワークＩ／Ｆ３０３による外部装置への送信、または、メモリ３０２や記録媒体３０５などの記憶領域への記憶である。これにより、出力部８０３は、いずれかの機能部の処理結果をユーザに通知可能にし、情報処理装置１００の利便性の向上を図ることができる。
【００８５】
出力部８０３は、対応付けられた２以上の情報のいずれかの情報を利用して運送業者が情報管理システムにログインした場合、対応付けられた２以上の情報のそれぞれの情報を運送業者に割り当てた卸業者を選択可能な画面を表示する。出力部８０３は、例えば、対応付けられた第１の情報および第２の情報のいずれかの情報を利用して運送業者が情報管理システムにログインした場合、第１の卸業者および第２の卸業者を選択可能な画面を表示する。これにより、出力部８０３は、運送業者が、情報管理システムへのログインに利用される２以上の情報を使い分けなくても、２以上の卸業者を選択可能にすることができる。
【００８６】
出力部８０３は、画面において２以上の卸業者のいずれかの卸業者の選択を受け付けると、選択された卸業者と運送業者との間での業務情報を表示する。出力部８０３は、例えば、画面において第１の卸業者および第２の卸業者のいずれかの卸業者の選択を受け付けると、選択された卸業者と運送業者との間での業務情報を表示する。これにより、出力部８０３は、選択結果に応じて、２以上の卸業者に対応する業務情報を選択的に表示可能にすることができ、運送業者にかかる作業負担の低減化を図ることができる。
【００８７】
（業務管理システム２００の動作例）
次に、図９〜図１７を用いて、業務管理システム２００の動作例について説明する。まず、図９および図１０を用いて、業務管理システム２００において卸業者情報が登録される一例について説明する。
【００８８】
図９および図１０は、卸業者情報が登録される一例を示す説明図である。図９の例では、卸業者に属する従業者が、卸業者ＩＤを利用し、卸業者側装置２０１を介して情報管理システムにログインしたとする。卸業者ＩＤは、例えば、情報管理システムの管理者により予め設定される。具体的には、卸業者「卸３」に属する従業者が、卸業者ＩＤ「１０００３」を利用し、情報管理システムにログインしたとする。
【００８９】
ここで、情報処理装置１００は、卸業者「卸３」に属する従業者の要求に応じて、卸業者情報登録画面９００を、卸業者側装置２０１のディスプレイ６０６に表示させる。卸業者情報登録画面９００は、ログイン状態を表示する表示欄９０１と、卸業者名が入力される入力欄９０２と、名寄せＩＤが入力される入力欄９０３とを含む。また、卸業者情報登録画面９００は、代表者名、電話番号、住所などの入力欄を含んでもよい。ログイン状態は、例えば、ログインに利用した卸業者ＩＤと、卸業者ＩＤが示す卸業者の卸業者名とである。
【００９０】
卸業者「卸３」に属する従業者は、卸業者名を変更する場合には、入力装置６０７を介して、入力欄９０２に卸業者名を入力する。情報処理装置１００は、卸業者「卸３」に自動で名寄せＩＤを割り当て、入力欄９０３にデフォルトで入力しておいてもよい。卸業者「卸３」に属する従業者は、名寄せＩＤを変更する場合には、入力装置６０７を介して、入力欄９０３に名寄せＩＤを入力する。その後、卸業者「卸３」に属する従業者は、入力装置６０７を介して、実行ボタンをクリックする。卸業者側装置２０１は、実行ボタンのクリックに応じて、各種入力欄に入力された情報を、情報処理装置１００に送信する。ここで、図１０の説明に移行する。
【００９１】
図１０において、情報処理装置１００は、受信した各種入力欄に入力された情報に基づいて、会社マスタテーブル４００に卸業者情報を登録する。情報処理装置１００は、例えば、卸業者ＩＤ「１０００３」と、入力欄９０２に入力された卸業者名「卸３」と、入力欄９０３に入力された名寄せＩＤ「ａ９ＤｙＩｌ３ｘ」とを対応付けたレコードを、会社マスタテーブル４００に追加する。これにより、卸業者に属する従業者は、情報処理装置１００に、卸業者情報を登録または更新させることができ、卸業者に対応する名寄せＩＤを設定させることができる。
【００９２】
次に、図１１および図１２を用いて、業務管理システム２００において運送業者情報が登録される一例について説明する。
【００９３】
図１１および図１２は、運送業者情報が登録される一例を示す説明図である。図１１の例では、卸業者に属する従業者が、卸業者ＩＤを利用し、卸業者側装置２０１を介して情報管理システムにログインしたとする。卸業者ＩＤは、例えば、情報管理システムの管理者により予め設定される。具体的には、卸業者「卸１」に属する従業者が、卸業者ＩＤ「１０００１」を利用し、情報管理システムにログインしたとする。
【００９４】
ここで、情報処理装置１００は、卸業者「卸１」に属する従業者の要求に応じて、運送業者情報登録画面１１００を、卸業者側装置２０１のディスプレイ６０６に表示させる。運送業者情報登録画面１１００は、ログイン状態を表示する表示欄１１０１と、運送業者名が入力される入力欄１１０２とを含む。また、運送業者情報登録画面１１００は、代表者名、電話番号、住所などの入力欄を含んでもよい。ログイン状態は、例えば、ログインに利用した卸業者ＩＤと、卸業者ＩＤが示す卸業者の卸業者名とである。
【００９５】
卸業者「卸１」に属する従業者は、入力装置６０７を介して、入力欄１１０２に運送業者名を入力する。その後、卸業者「卸１」に属する従業者は、入力装置６０７を介して、実行ボタンをクリックする。卸業者側装置２０１は、実行ボタンのクリックに応じて、各種入力欄に入力された情報を、情報処理装置１００に送信する。ここで、図１２の説明に移行する。
【００９６】
図１２において、情報処理装置１００は、受信した各種入力欄に入力された情報に基づいて、会社マスタテーブル４００に運送業者情報を登録する。情報処理装置１００は、例えば、運送業者ＩＤ「３０００５」を自動で割り当てる。そして、情報処理装置１００は、運送業者ＩＤ「３０００５」と、入力欄１１０２に入力された運送業者名「運送１」と、ログインに利用された卸業者ＩＤ「１０００１」と、利用フラグ「停止」とを対応付けたレコードを、会社マスタテーブル４００に追加する。これにより、卸業者に属する従業者は、情報処理装置１００に、運送業者情報を登録させることができ、運送業者が情報管理システムを利用可能にすることができる。
【００９７】
次に、図１３および図１４を用いて、業務管理システム２００において運送業者ＩＤが対応付けられる一例について説明する。
【００９８】
図１３および図１４は、運送業者ＩＤが対応付けられる一例を示す説明図である。図１３の例では、運送業者に属する従業者が、運送業者ＩＤを利用し、運送業者側装置２０２を介して情報管理システムにログインしたとする。具体的には、運送業者「△△」に属する従業者が、運送業者ＩＤ「３０００１」を利用し、情報管理システムにログインしたとする。
【００９９】
ここで、情報処理装置１００は、運送業者「△△」に属する従業者の要求に応じて、マスタメンテナンス画面１３００を、運送業者側装置２０２のディスプレイ７０６に表示させる。マスタメンテナンス画面１３００は、ログイン状態を表示する表示欄１３０１を含む。ログイン状態は、例えば、ログインに利用した運送業者ＩＤと、運送業者ＩＤが示す運送業者名とである。また、マスタメンテナンス画面１３００は、運送業者ＩＤが入力される入力欄１３０２と、運送業者ＩＤを割り当てた卸業者の卸業者名が表示される表示欄１３０３と、運送業者ＩＤに対応する運送業者名が表示される表示欄１３０４とを含む。
【０１００】
また、マスタメンテナンス画面１３００は、名寄せＩＤが入力される入力欄１３０５を含む。また、マスタメンテナンス画面１３００は、名寄せ状況一覧１３０６を含む。名寄せ状況一覧１３０６は、例えば、ログインに利用した運送業者ＩＤと対応付け済みの運送業者ＩＤについてのレコードを含む。名寄せ状況一覧１３０６は、例えば、ログインに利用した運送業者ＩＤと対応付ける対象として設定された運送業者ＩＤについてのレコードを含む。名寄せ状況一覧１３０６は、例えば、ログインに利用した運送業者ＩＤとの対応付けを解除する対象として設定された運送業者ＩＤについてのレコードを含む。
【０１０１】
運送業者「△△」に属する従業者は、入力装置７０７を介して、入力欄１３０２に運送業者ＩＤを入力し、検索ボタンをクリックする。運送業者側装置２０２は、検索ボタンのクリックに応じて、入力欄１３０２に入力された運送業者ＩＤを情報処理装置１００に送信する。運送業者側装置２０２は、運送業者ＩＤを情報処理装置１００に送信したことに応じて、運送業者ＩＤに対応する卸業者名と運送業者名とを情報処理装置１００から取得し、表示欄１３０３，１３０４に表示する。運送業者「△△」に属する従業者は、表示欄１３０３，１３０４を確認し、入力欄１３０２に入力された運送業者ＩＤを、ログインに利用した運送業者ＩＤと対応付ける対象として設定するか否かを判断する。
【０１０２】
運送業者「△△」に属する従業者は、ログインに利用した運送業者ＩＤと対応付ける対象として設定しようとする場合、入力装置７０７を介して、追加ボタンをクリックする。運送業者側装置２０２は、追加ボタンのクリックに応じて、入力欄１３０２に入力された運送業者ＩＤを、ログインに利用した運送業者ＩＤと対応付ける対象として設定する。この際、運送業者側装置２０２は、入力欄１３０２に入力された運送業者ＩＤと、表示欄１３０３，１３０４に表示された卸業者名および運送業者名と、状態「追加」とを対応付けたレコードを、名寄せ状況一覧１３０６に表示する。状態「追加」は、対応付ける対象であることを示す状態である。
【０１０３】
図１３の例では、運送業者側装置２０２は、卸業者名「卸２」と運送業者ＩＤ「３０００３」と運送業者名「△△」と状態「追加」とを対応付けたレコード１３０７を、名寄せ状況一覧１３０６に表示する。また、運送業者側装置２０２は、卸業者名「卸５」と運送業者ＩＤ「３０００５」と運送業者名「△△」と状態「追加」とを対応付けたレコード１３０８を、名寄せ状況一覧１３０６に表示する。
【０１０４】
ここで、運送業者「△△」に属する従業者は、状態変更ボタンにより、ログインに利用した運送業者ＩＤと対応付ける対象に一旦設定した運送業者ＩＤを、ログインに利用した運送業者ＩＤと対応付ける対象から除外可能である。運送業者「△△」に属する従業者は、例えば、レコード１３０８の状態変更ボタンにより、状態「追加」を状態「追加取消」に変更すれば、運送業者ＩＤ「３０００５」を、ログインに利用した運送業者ＩＤと対応付ける対象から除外可能である。
【０１０５】
その後、運送業者「△△」に属する従業者は、入力装置７０７を介して、入力欄１３０５に名寄せＩＤを入力し、実行ボタンをクリックする。運送業者側装置２０２は、実行ボタンのクリックに応じて、入力欄１３０５に入力された名寄せＩＤと、ログインに利用した運送業者ＩＤと、ログインに利用した運送業者ＩＤと対応付ける対象として設定された運送業者ＩＤとを、情報処理装置１００に送信する。運送業者側装置２０２は、例えば、名寄せＩＤ「５０００１」と、ログインに利用した運送業者ＩＤ「３０００１」と、対応付ける対象として設定された運送業者ＩＤ「３０００３」とを、情報処理装置１００に送信する。ここで、図１４の説明に移行する。
【０１０６】
図１４において、情報処理装置１００は、受信した名寄せＩＤが、正当な名寄せＩＤであるかを確認する。情報処理装置１００は、受信した名寄せＩＤが、いずれかの卸業者に対応する会社マスタテーブル４００の名寄せＩＤのフィールドに設定された名寄せＩＤと一致すれば、正当な名寄せＩＤであると判定する。ここで、情報処理装置１００は、正当な名寄せＩＤであれば、運送業者ＩＤの対応付けを実施する。一方で、情報処理装置１００は、正当な名寄せＩＤでなければ、受信した運送業者ＩＤを破棄し、運送業者ＩＤの対応付けを実施しない。
【０１０７】
図１４の例では、情報処理装置１００は、受信した名寄せＩＤ「５０００１」が、正当な名寄せＩＤであると判定する。このため、情報処理装置１００は、受信した運送業者ＩＤ「３０００１」と、運送業者ＩＤ「３０００３」とのそれぞれに対応する、会社マスタテーブル４００の名寄せＩＤのフィールドに、同じ名寄せＩＤを設定する。これにより、情報処理装置１００は、２以上の運送業者ＩＤを対応付け、運送業者が、運送業者ＩＤを使い分けずに済ませるための準備を完了することができる。
【０１０８】
ここでは、運送業者側装置２０２が、実行ボタンのクリックに応じて、情報処理装置１００に、名寄せＩＤを送信して確認させる場合について説明したが、これに限らない。例えば、運送業者側装置２０２が、名寄せＩＤを情報処理装置１００に送信し、正当な名寄せＩＤであると確認された場合に、マスタメンテナンス画面１３００が表示可能になるようにしてもよい。また、例えば、運送業者側装置２０２が、検索ボタンのクリックに応じて、情報処理装置１００に、名寄せＩＤを送信して確認させる場合があってもよい。
【０１０９】
次に、図１５および図１６を用いて、業務管理システム２００において運送業者ＩＤの対応付けが解除される一例について説明する。
【０１１０】
図１５および図１６は、運送業者ＩＤの対応付けが解除される一例を示す説明図である。図１５の例では、運送業者に属する従業者が、運送業者ＩＤを利用し、運送業者側装置２０２を介して情報管理システムにログインしたとする。具体的には、図１３の例と同様に、運送業者「△△」に属する従業者が、運送業者ＩＤ「３０００１」を利用し、情報管理システムにログインしたとする。
【０１１１】
ここで、情報処理装置１００は、運送業者「△△」に属する従業者の要求に応じて、マスタメンテナンス画面１３００を、運送業者側装置２０２のディスプレイ７０６に表示させる。また、運送業者側装置２０２は、ログインに利用した運送業者ＩＤと対応付け済みの運送業者ＩＤがあれば、名寄せ状況一覧１３０６に表示する。図１５の例では、運送業者側装置２０２は、卸業者名「卸２」と運送業者ＩＤ「３０００３」と運送業者名「△△」と状態「名寄せ中」とを対応付けたレコード１５０１を、名寄せ状況一覧１３０６に表示する。状態「名寄せ中」は、対応付け済みであることを示す状態である。
【０１１２】
ここで、運送業者「△△」に属する従業者は、状態変更ボタンにより、ログインに利用した運送業者ＩＤと対応付け済みである運送業者ＩＤを、対応付けを解除する対象として設定可能である。図１５の例では、運送業者「△△」に属する従業者は、レコード１５０１の状態変更ボタンにより、状態「名寄せ中」を状態「解除」に変更し、運送業者ＩＤ「３０００５」を、対応付けを解除する対象として設定する。
【０１１３】
その後、運送業者「△△」に属する従業者は、入力装置７０７を介して、実行ボタンをクリックする。運送業者側装置２０２は、実行ボタンのクリックに応じて、ログインに利用した運送業者ＩＤとの対応付けを解除する対象として設定された運送業者ＩＤを、情報処理装置１００に送信する。運送業者側装置２０２は、例えば、対応付けを解除する対象として設定された運送業者ＩＤ「３０００３」を、情報処理装置１００に送信する。ここで、図１６の説明に移行する。
【０１１４】
図１６において、情報処理装置１００は、受信した運送業者ＩＤの対応付けを解除する。図１６の例では、情報処理装置１００は、運送業者ＩＤ「３０００３」に対応する、会社マスタテーブル４００の名寄せＩＤのフィールドに設定された名寄せＩＤを削除する。これにより、情報処理装置１００は、２以上の運送業者ＩＤの対応付けを解除し、運送業者の要望に沿った対応付け状態を設定することができる。
【０１１５】
ここでは、運送業者側装置２０２が、情報処理装置１００に、名寄せＩＤを送信しない場合について説明したが、これに限らない。例えば、運送業者側装置２０２が、実行ボタンのクリックに応じて、対応付けを解除する対象である運送業者ＩＤと共に、名寄せＩＤを情報処理装置１００に送信する場合があってもよい。この場合、情報処理装置１００は、正当な名寄せＩＤでなければ、対応付けを解除しないようにする。
【０１１６】
次に、図１７を用いて、運送業者が情報管理システムにログインする一例について説明する。
【０１１７】
図１７は、運送業者が情報管理システムにログインする一例を示す説明図である。図１７の例では、情報処理装置１００は、運送業者に属する従業者の要求に応じて、ログイン画面１７００を、運送業者側装置２０２のディスプレイ７０６に表示させる。ログイン画面１７００は、会社ＩＤを入力する入力欄１７０１と、ユーザＩＤを入力する入力欄１７０２と、パスワードを入力する入力欄１７０３とを含む。
【０１１８】
運送業者に属する従業者は、入力装置７０７を介して、入力欄１７０１に運送業者ＩＤ「３０００３」を入力し、入力欄１７０２にユーザＩＤ「Ｕ０１」を入力し、入力欄１７０３にパスワードを入力し、ログインボタンをクリックする。運送業者側装置２０２は、ログインボタンのクリックに応じて、入力欄１７０１に入力された運送業者ＩＤ「３０００３」と、入力欄１７０２に入力されたユーザＩＤ「Ｕ０１」と、入力欄１７０３に入力されたパスワードとを、情報処理装置１００に送信する。
【０１１９】
情報処理装置１００は、入力欄１７０１に入力された運送業者ＩＤ「３０００３」と、入力欄１７０２に入力されたユーザＩＤ「Ｕ０１」と、入力欄１７０３に入力されたパスワードとを受信し、運送業者の従業者を認証する。情報処理装置１００は、認証成功すると、会社マスタテーブル４００を参照し、運送業者ＩＤ「３０００３」と同じ名寄せＩＤが設定された運送業者ＩＤ「３０００１」を特定する。
【０１２０】
情報処理装置１００は、情報管理システムを、運送業者ＩＤ「３０００１」および運送業者ＩＤ「３０００３」のいずれに対応する業務情報に対してもアクセス可能な状態に設定する。そして、情報処理装置１００は、メニュー画面１７１０を、運送業者側装置２０２のディスプレイ７０６に表示させる。メニュー画面１７１０は、卸業者「卸１」および卸業者「卸２」を選択する選択欄１７１１を含む。
【０１２１】
その後、情報処理装置１００は、メニュー画面１７１０で選択された卸業者に合わせて、選択された卸業者が割り当てた運送業者ＩＤに対応する業務情報を閲覧可能に、運送業者側装置２０２の表示内容を遷移させる。これにより、情報処理装置１００は、運送業者に属する従業者が、情報管理システムへのログインに利用される２以上の情報を使い分けなくても、２以上の卸業者に対応する業務情報を選択的に閲覧可能にすることができる。このため、情報処理装置１００は、運送業者に属する従業者にかかる作業負担の低減化を図ることができる。
【０１２２】
（卸業者登録処理手順）
次に、図１８を用いて、情報処理装置１００が実行する、卸業者登録処理手順の一例について説明する。卸業者登録処理は、例えば、図３に示したＣＰＵ３０１と、メモリ３０２や記録媒体３０５などの記憶領域と、ネットワークＩ／Ｆ３０３とによって実現される。
【０１２３】
図１８は、卸業者登録処理手順の一例を示すフローチャートである。図１８において、情報処理装置１００は、卸業者情報登録画面を、卸業者側装置２０１に表示させる（ステップＳ１８０１）。次に、情報処理装置１００は、卸業者情報登録画面に入力された卸業者名を、卸業者側装置２０１から取得する（ステップＳ１８０２）。
【０１２４】
そして、情報処理装置１００は、取得した卸業者名と、自動で割り振られた卸業者ＩＤと、自動で割り振られた名寄せＩＤとを対応付けたレコードを、会社マスタテーブル４００に記憶する（ステップＳ１８０３）。そして、情報処理装置１００は、卸業者登録処理を終了する。
【０１２５】
（運送業者登録処理手順）
次に、図１９を用いて、情報処理装置１００が実行する、運送業者登録処理手順の一例について説明する。運送業者登録処理は、例えば、図３に示したＣＰＵ３０１と、メモリ３０２や記録媒体３０５などの記憶領域と、ネットワークＩ／Ｆ３０３とによって実現される。
【０１２６】
図１９は、運送業者登録処理手順の一例を示すフローチャートである。図１９において、情報処理装置１００は、運送業者情報登録画面を、卸業者側装置２０１に表示させる（ステップＳ１９０１）。次に、情報処理装置１００は、運送業者情報登録画面に入力された運送業者名を、卸業者側装置２０１から取得する（ステップＳ１９０２）。
【０１２７】
そして、情報処理装置１００は、取得した運送業者名と、自動で割り振られた運送業者ＩＤとを対応付けたレコードを、会社マスタテーブル４００に記憶する（ステップＳ１９０３）。そして、情報処理装置１００は、運送業者登録処理を終了する。
【０１２８】
（ログイン処理手順）
次に、図２０を用いて、情報処理装置１００が実行する、ログイン処理手順の一例について説明する。ログイン処理は、例えば、図３に示したＣＰＵ３０１と、メモリ３０２や記録媒体３０５などの記憶領域と、ネットワークＩ／Ｆ３０３とによって実現される。
【０１２９】
図２０は、ログイン処理手順の一例を示すフローチャートである。図２０において、情報処理装置１００は、ログイン画面を、運送業者側装置２０２に表示させる（ステップＳ２００１）。次に、情報処理装置１００は、ログイン画面に入力された運送業者ＩＤとユーザＩＤとの組み合わせを、運送業者側装置２０２から取得する（ステップＳ２００２）。
【０１３０】
そして、情報処理装置１００は、取得した組み合わせを含むレコードが、会社マスタテーブル４００にあるか否かを判定する（ステップＳ２００３）。ここで、会社マスタテーブル４００にない場合（ステップＳ２００３：Ｎｏ）、情報処理装置１００は、ステップＳ２００４の処理に移行する。一方で、会社マスタテーブル４００にある場合（ステップＳ２００３：Ｙｅｓ）、情報処理装置１００は、ステップＳ２００５の処理に移行する。
【０１３１】
ステップＳ２００４では、情報処理装置１００は、ログイン失敗と判定する（ステップＳ２００４）。そして、情報処理装置１００は、ログイン処理を終了する。
【０１３２】
ステップＳ２００５では、情報処理装置１００は、取得した組み合わせを含むレコードに対応する卸業者の業務情報に対してアクセス可能に設定し、取得した組み合わせの運送業者ＩＤを利用したログイン成功と判定する（ステップＳ２００５）。
【０１３３】
次に、情報処理装置１００は、取得した組み合わせを含むレコードと同じ名寄せＩＤのレコードが、会社マスタテーブル４００にあるか否かを判定する（ステップＳ２００６）。ここで、会社マスタテーブル４００にない場合（ステップＳ２００６：Ｎｏ）、情報処理装置１００は、ステップＳ２００８の処理に移行する。一方で、会社マスタテーブル４００にある場合（ステップＳ２００６：Ｙｅｓ）、情報処理装置１００は、ステップＳ２００７の処理に移行する。
【０１３４】
ステップＳ２００７では、情報処理装置１００は、取得した組み合わせを含むレコードと同じ名寄せＩＤのレコードに対応する卸業者の業務情報に対してアクセス可能に設定する（ステップＳ２００７）。そして、情報処理装置１００は、ステップＳ２００８の処理に移行する。
【０１３５】
ステップＳ２００８では、情報処理装置１００は、業務情報に対してアクセス可能に設定された１以上の卸業者のそれぞれの卸業者を選択可能にするメニュー画面を、運送業者側装置２０２に表示させる（ステップＳ２００８）。そして、情報処理装置１００は、ログイン処理を終了する。
【０１３６】
（対応登録処理手順）
次に、図２１を用いて、情報処理装置１００が実行する、対応登録処理手順の一例について説明する。対応登録処理は、例えば、図３に示したＣＰＵ３０１と、メモリ３０２や記録媒体３０５などの記憶領域と、ネットワークＩ／Ｆ３０３とによって実現される。
【０１３７】
図２１は、対応登録処理手順の一例を示すフローチャートである。図２１において、情報処理装置１００は、マスタメンテナンス画面を、運送業者側装置２０２に表示させる（ステップＳ２１０１）。そして、情報処理装置１００は、ログインに利用された運送業者ＩＤを、名寄せ先に設定する（ステップＳ２１０２）。
【０１３８】
次に、情報処理装置１００は、マスタメンテナンス画面の追加ボタンのクリックに応じて、マスタメンテナンス画面に入力された運送業者ＩＤを取得し、名寄せ元に設定する（ステップＳ２１０３）。そして、情報処理装置１００は、マスタメンテナンス画面の追加ボタンのクリックに応じて、マスタメンテナンス画面に入力された名寄せＩＤを取得し、会社マスタテーブル４００を参照して、名寄せＩＤをチェックする（ステップＳ２１０４）。
【０１３９】
次に、情報処理装置１００は、名寄せＩＤが正当であるか否かを判定する（ステップＳ２１０５）。ここで、名寄せＩＤが正当ではない場合（ステップＳ２１０５：Ｎｏ）、情報処理装置１００は、対応登録処理を終了する。一方で、名寄せＩＤが正当である場合（ステップＳ２１０５：Ｙｅｓ）、情報処理装置１００は、ステップＳ２１０６の処理に移行する。
【０１４０】
ステップＳ２１０６では、情報処理装置１００は、マスタメンテナンス画面の実行ボタンのクリックに応じて、名寄せ先に設定した運送業者ＩＤと、名寄せ元に設定した運送業者ＩＤとに、同じ名寄せＩＤを対応付けて、会社マスタテーブル４００に記憶する（ステップＳ２１０６）。そして、情報処理装置１００は、対応登録処理を終了する。
【０１４１】
（対応解除処理手順）
次に、図２２を用いて、情報処理装置１００が実行する、対応解除処理手順の一例について説明する。対応解除処理は、例えば、図３に示したＣＰＵ３０１と、メモリ３０２や記録媒体３０５などの記憶領域と、ネットワークＩ／Ｆ３０３とによって実現される。
【０１４２】
図２２は、対応解除処理手順の一例を示すフローチャートである。図２２において、情報処理装置１００は、マスタメンテナンス画面を、運送業者側装置２０２に表示させる（ステップＳ２２０１）。
【０１４３】
次に、情報処理装置１００は、マスタメンテナンス画面の実行ボタンのクリックに応じて、マスタメンテナンス画面のいずれかの運送業者ＩＤに対応付けて表示された状態変更ボタンにより解除対象として選択された運送業者ＩＤを特定する（ステップＳ２２０２）。
【０１４４】
そして、情報処理装置１００は、特定した運送業者ＩＤに対応する名寄せＩＤを、会社マスタテーブル４００から削除する（ステップＳ２２０３）。そして、情報処理装置１００は、対応解除処理を終了する。
【０１４５】
ここで、情報処理装置１００は、図１８〜図２２の一部ステップの処理の順序を入れ替えて実行してもよい。例えば、ステップＳ２１０３，Ｓ２１０４の処理の順序は入れ替え可能である。また、情報処理装置１００は、図１８〜図２２の一部ステップの処理を省略してもよい。
【０１４６】
以上説明したように、情報処理装置１００によれば、複数の卸業者のいずれかの卸業者に対応する所定のキーを運送業者から受け付けることができる。情報処理装置１００によれば、所定のキーを受け付けた場合、複数の卸業者のうちの第１の卸業者および第２の卸業者が、それぞれ、運送業者に割り当てた、システムへのログインに利用される第１の情報および第２の情報を対応付けることができる。情報処理装置１００によれば、対応付けられた第１の情報および第２の情報のいずれかの情報を利用して運送業者がシステムにログインした場合、第１の卸業者および第２の卸業者を選択可能な画面を表示することができる。これにより、情報処理装置１００は、運送業者が第１の情報と第２の情報とを使い分けなくても、第１の卸業者および第２の卸業者を選択可能にすることができ、運送業者にかかる作業負担の低減化を支援することができる。
【０１４７】
情報処理装置１００によれば、複数の卸業者のそれぞれの卸業者に対応する所定のキーを記憶する記憶部８００を参照して、運送業者から取得したキーが、所定のキーであると判定した場合に、所定のキーを受け付けることができる。これにより、情報処理装置１００は、システムへのログインに利用される２以上の情報を対応付けることが、運送業者に許可されているか否かを判断することができ、システムのセキュリティの向上を図ることができる。
【０１４８】
情報処理装置１００によれば、運送業者の要求に応じて、第１の情報および第２の情報の対応付けを解除することができる。これにより、情報処理装置１００は、第１の情報および第２の情報の対応付けの状態を、運送業者が要望する状態にすることができる。
【０１４９】
情報処理装置１００によれば、表示した画面において第１の卸業者および第２の卸業者のいずれかの卸業者の選択を受け付けると、いずれかの卸業者と運送業者との間での業務情報を表示することができる。これにより、情報処理装置１００は、運送業者が、第１の情報および第２の情報を使い分けずとも、第１の卸業者および第２の卸業者のいずれかの卸業者に対応する業務情報を参照可能にすることができ、運送業者にかかる作業負担の低減化を図ることができる。
【０１５０】
情報処理装置１００によれば、第１の情報および第２の情報のそれぞれの情報に、受け付けた所定のキーを対応付けることができる。これにより、情報処理装置１００は、システムへのログインに利用される２以上の情報を対応付けることが、運送業者に許可されていたことを特定可能に記録しておくことができる。また、情報処理装置１００は、システムへのログインに利用される２以上の情報を対応付けることを、運送業者に許可した卸業者を特定可能に記録しておくことができる。このため、情報処理装置１００は、システムの管理を支援し、システムのセキュリティの向上を図ることができる。
【０１５１】
情報処理装置１００によれば、第１の情報として、システムが記憶する第１の卸業者と運送業者との間での業務情報に対するアクセスを許可する情報を用いることができる。情報処理装置１００によれば、第２の情報として、システムが記憶する第２の卸業者と運送業者との間での業務情報に対するアクセスを許可する情報を用いることができる。これにより、情報処理装置１００は、対応付けられた２以上の情報を用いて、システムを、運送業者が異なる卸業者に対応する業務情報に対するアクセスが容易な状態に設定することができる。
【０１５２】
情報処理装置１００によれば、第１の卸業者および第２の卸業者のいずれかの卸業者に対応する所定のキーに限定して受け付けることができる。これにより、情報処理装置１００は、第１の卸業者および第２の卸業者以外の卸業者の許可により、第１の卸業者および第２の卸業者に対応する第１の情報および第２の情報が対応付けられてしまうことを防止することができる。
【０１５３】
なお、本実施の形態で説明した管理方法は、予め用意されたプログラムをパーソナル・コンピュータやワークステーション等のコンピュータで実行することにより実現することができる。本実施の形態で説明した管理プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本実施の形態で説明した管理プログラムは、インターネット等のネットワークを介して配布してもよい。
【０１５４】
上述した実施の形態に関し、さらに以下の付記を開示する。
【０１５５】
（付記１）複数の卸業者のいずれかの卸業者に対応する所定のキーを運送業者から受け付け、
前記所定のキーを受け付けた場合、前記運送業者から指定された第１の情報および第２の情報であって、前記複数の卸業者のうちの第１の卸業者および第２の卸業者が、それぞれ、前記運送業者に割り当てた、前記複数の卸業者のそれぞれの卸業者と前記運送業者との間での業務情報を管理するシステムへのログインに利用される前記第１の情報および前記第２の情報を対応付け、
対応付けられた前記第１の情報および前記第２の情報のいずれかの情報を利用して前記運送業者が前記システムにログインした場合、前記第１の卸業者および前記第２の卸業者を選択可能な画面を表示する、
処理をコンピュータに実行させることを特徴とする管理プログラム。
【０１５６】
（付記２）前記受け付ける処理は、前記複数の卸業者のそれぞれの卸業者に対応する所定のキーを記憶する記憶部を参照して、前記運送業者から取得したキーが、前記所定のキーであると判定した場合に、前記所定のキーを受け付ける、ことを特徴とする付記１に記載の管理プログラム。
【０１５７】
（付記３）前記運送業者の要求に応じて、前記第１の情報および前記第２の情報の対応付けを解除する、処理を前記コンピュータに実行させることを特徴とする付記１または２に記載の管理プログラム。
【０１５８】
（付記４）前記画面において前記第１の卸業者および前記第２の卸業者のいずれかの卸業者の選択を受け付けると、前記いずれかの卸業者と前記運送業者との間での業務情報を表示する、処理を前記コンピュータに実行させることを特徴とする付記１〜３のいずれか一つに記載の管理プログラム。
【０１５９】
（付記５）前記対応付ける処理は、前記第１の情報および前記第２の情報のそれぞれの情報に、受け付けた前記所定のキーを対応付ける、ことを特徴とする付記１〜４のいずれか一つに記載の管理プログラム。
【０１６０】
（付記６）前記第１の情報は、前記システムが記憶する前記第１の卸業者と前記運送業者との間での業務情報に対するアクセスを許可する情報であり、
前記第２の情報は、前記システムが記憶する前記第２の卸業者と前記運送業者との間での業務情報に対するアクセスを許可する情報である、ことを特徴とする付記１〜５のいずれか一つに記載の管理プログラム。
【０１６１】
（付記７）前記所定のキーは、前記第１の卸業者および前記第２の卸業者のいずれかの卸業者に対応する、ことを特徴とする付記１〜６のいずれか一つに記載の管理プログラム。
【０１６２】
（付記８）複数の卸業者のいずれかの卸業者に対応する所定のキーを運送業者から受け付け、
前記所定のキーを受け付けた場合、前記運送業者から指定された第１の情報および第２の情報であって、前記複数の卸業者のうちの第１の卸業者および第２の卸業者が、それぞれ、前記運送業者に割り当てた、前記複数の卸業者のそれぞれの卸業者と前記運送業者との間での業務情報を管理するシステムへのログインに利用される前記第１の情報および前記第２の情報を対応付け、
対応付けられた前記第１の情報および前記第２の情報のいずれかの情報を利用して前記運送業者が前記システムにログインした場合、前記第１の卸業者および前記第２の卸業者を選択可能な画面を表示する、
処理をコンピュータが実行することを特徴とする管理方法。
【０１６３】
（付記９）情報処理装置と、運送業者に対応する運送業者側装置とを含む業務管理システムであって、
前記情報処理装置が、
複数の卸業者のいずれかの卸業者に対応する所定のキーを前記運送業者側装置から受け付け、
前記所定のキーを受け付けた場合、前記運送業者側装置を介して前記運送業者から指定された第１の情報および第２の情報であって、前記複数の卸業者のうちの第１の卸業者および第２の卸業者が、それぞれ、前記運送業者に割り当てた、前記複数の卸業者のそれぞれの卸業者と前記運送業者との間での業務情報を管理するシステムへのログインに利用される前記第１の情報および前記第２の情報を対応付け、
対応付けられた前記第１の情報および前記第２の情報のいずれかの情報を利用して、前記運送業者側装置を介して前記運送業者が前記システムにログインした場合、前記第１の卸業者および前記第２の卸業者を選択可能な画面を、前記運送業者側装置に表示させる、
ことを特徴とする業務管理システム。
【符号の説明】
【０１６４】
１００  情報処理装置
１１０，１２０，１３０  符号
１１１，１１２  業務情報
２００  業務管理システム
２０１  卸業者側装置
２０２  運送業者側装置
２１０  ネットワーク
３００，６００，７００  バス
３０１，６０１，７０１  ＣＰＵ
３０２，６０２，７０２  メモリ
３０３，６０３，７０３  ネットワークＩ／Ｆ
３０４，６０４，７０４  記録媒体Ｉ／Ｆ
３０５，６０５，７０５  記録媒体
４００  会社マスタテーブル
５００  ユーザマスタテーブル
６０６，７０６  ディスプレイ
６０７，７０７  入力装置
８００  記憶部
８０１  取得部
８０２  管理部
８０３  出力部
９００  卸業者情報登録画面
９０１，１１０１，１３０１，１３０３，１３０４  表示欄
９０２，９０３，１１０２，１３０２，１３０５，１７０１〜１７０３  入力欄
１１００  運送業者情報登録画面
１３００  マスタメンテナンス画面
１３０６  名寄せ状況一覧
１３０７，１３０８，１５０１  レコード
１７００  ログイン画面
１７１０  メニュー画面
１７１１  選択欄
【図１】
2020038445.tif 000003
【図２】
2020038445.tif 000004
【図３】
2020038445.tif 000005
【図４】
2020038445.tif 000006
【図５】
2020038445.tif 000007
【図６】
2020038445.tif 000008
【図７】
2020038445.tif 000009
【図８】
2020038445.tif 000010
【図９】
2020038445.tif 000011
【図１０】
2020038445.tif 000012
【図１１】
2020038445.tif 000013
【図１２】
2020038445.tif 000014
【図１３】
2020038445.tif 000015
【図１４】
2020038445.tif 000016
【図１５】
2020038445.tif 000017
【図１６】
2020038445.tif 000018
【図１７】
2020038445.tif 000019
【図１８】
2020038445.tif 000020
【図１９】
2020038445.tif 000021
【図２０】
2020038445.tif 000022
【図２１】
2020038445.tif 000023
【図２２】
2020038445.tif 000024